(57)【要約】【課題】入手容易な原料を使用して、保水性をはじめとする諸条件を満足する植生用パネルを実現する。【解決手段】粉砕したざくろ石と無機バインダと、粘土を加えたものを混合して圧縮し、焼成、発泡させて得られた板材の表面に凹凸、溝等を設けて植生用パネルとする。【選択図】図１
2008161108.tif 000002
【特許請求の範囲】
【請求項１】
粉砕したざくろ石と無機バインダと、必要に応じてさらに粘土を加えたものを混合して圧縮し、焼成、発泡させて得られた板材の表面に凹凸、くぼみ、または溝を設け、あるいは表面周囲に囲いを設けてなる植生用パネル。
【請求項２】
粉砕したざくろ石を焼成して発泡させたものと無機バインダと、必要に応じてさらに粘土を加えたものを混合して圧縮し、焼成して得られた板材の表面に凹凸、くぼみ、または溝を設け、あるいは表面周囲に囲いを設けてなる植生用パネル。
【請求項３】
前記の表面の凹凸、くぼみ、または溝、あるいは表面周囲の囲いの内側に土を入れて、地被植物を植え付けてなる請求項１または２に記載の植生用パネル。
【請求項４】
請求項1または２に記載の板材の表面に網状、あるいはシート状のものを張り付けてなる植生用パネル。
【請求項５】
前記の網状、あるいはシート状のものに土を付着させて、地被植物を植え付けてなる請求項４に記載の植生用パネル。
【請求項６】
パネル全体を所定の曲率で彎曲させてなる請求項１ないし５のいずれかに記載の植生用パネル。
【請求項７】
請求項１ないし６のいずれかに記載の植生用パネルを枠体内に収容してなる植生用パネルユニット。
【発明の詳細な説明】
【技術分野】
【０００１】
本発明は、建物の屋根や屋上、防音壁などの壁面に設置して緑化し、居住性や地球環境を改善するための植生用パネルに関する。
【背景技術】
【０００２】
近年、ビルや住宅の居住性や地球環境の改善等を目的として、建物の屋根や屋上、防音壁などの壁面を緑化することが提唱されている。しかしこのために植生ポットやプランタなどを並べたり、土を盛って花壇を設けたりすると、強風時に土砂が周囲に飛散するという問題点がある。そこで土の飛散の少ない植生用パネルがいろいろ提案されているが、植生部分としては、頻繁な水やりを必要としないよう、保水性がよいこと、根腐れがないよう、通気性がよいこと、植物の根が成長しやすいよう、内部に空間があること、土を使用する場合でもその散逸が少ないこと、などが条件として要求される。
【０００３】
特許文献１には、ダクタイル鋳鉄製造時に発生する水砕スラグを粒子体に成形し、容器に充填して焼成したものを植生材料に使用することが記載されている。
また特許文献２には、連続気泡を有する発泡ガラス板からなり、垂直面あるいは傾斜面において好適な植生パネルが記載されている。上部端面に溝を有し、降雨の際に上部端面で受けた水が溝に流れ込み、内部の気泡に吸収されるので保水性がよい。
【特許文献１】特開２００２−３４８１７１号公報
【特許文献２】特開２００３−９６６８号公報
【発明の開示】
【発明が解決しようとする課題】
【０００４】
特許文献１に記載の植生材料は、自動車エンジン鋳造時に発生する水砕スラグを原料としているため原料の供給に制約があり、植生用パネルの需要に応じられないという問題点がある。
また特許文献２に記載の植生パネルの材料であるガラス板は、ガラスカレットを粉砕し、発泡材を添加して溶融、発泡、焼成、冷却して製造するものであり、かなりの製造コストがかかる上、生成される気泡のうち独立気泡は保水性に全く寄与しないため、必要な連続気泡を有するガラス板を製造するのはきわめて難しいという問題点もある。
【０００５】
本発明は、上記の問題点を解消し、大量入手が容易な原料を使用し、前記諸条件を満足する植生用パネルを実現することを目的とする。
【課題を解決するための手段】
【０００６】
請求項１に記載の本発明は、粉砕したざくろ石と無機バインダと、必要に応じてさらに粘土を加えたものを混合して圧縮し、焼成、発泡させて得られた板材の表面に凹凸、くぼみ、または溝を設け、あるいは表面周囲に囲いを設けてなる植生用パネルである。
請求項２に記載の本発明は、粉砕したざくろ石を焼成して発泡させたものと無機バインダと、必要に応じてさらに粘土を加えたものを混合して圧縮し、焼成して得られた板材の表面に凹凸、くぼみ、または溝を設け、あるいは表面周囲に囲いを設けてなる植生用パネルである。
【０００７】
請求項３に記載の本発明は、前記の表面の凹凸、くぼみ、または溝、あるいは表面周囲の囲いの内側に土を入れて、スナゴケあるいはイワタレソウ等の地被植物を植え付けてなる請求項１または２に記載の植生用パネルである。
請求項４に記載の本発明は、請求項１または２に記載の板材の表面に網状、あるいはシート状のものを張り付けてなる植生用パネルである。
【０００８】
請求項５に記載の本発明は、前記の網状、あるいはシート状のものに土を付着させて、スナゴケ、イワタレソウ等の地被植物を植え付けてなる請求項４に記載の植生用パネルである。
請求項６に記載の本発明は、パネル全体を所定の曲率で彎曲させてなる請求項１ないし５のいずれかに記載の植生用パネルである。
【０００９】
請求項７に記載の本発明は、請求項１ないし６のいずれかに記載の植生用パネルを枠体内に収容してなる植生用パネルユニットである。
【発明の効果】
【００１０】
本発明によれば、入手容易な原料を使用して、軽量で保水性に富み、根の定着性もよい植生用ボードが実現し、建物の屋上や屋根、壁面、さらには築堤の法面、防音壁などに使用してこれらの緑化を推進し、断熱、防音などの効果に加えて地球環境の改善に貢献するというすぐれた効果を奏する。
【発明を実施するための最良の形態】
【００１１】
本発明の実施例を図面により説明する前に、植生材料である板材について説明する。この板材は、粉砕したざくろ石と、無機バインダと、必要に応じてさらに粘土を加えたものを混合して圧縮し、焼成、発泡させて得られる。ざくろ石は国内で豊富に産出する入手容易な原料である。無機バインダは苛性ソーダ、珪酸ソーダ、珪酸カリウムなどを主体とするものである。無機バインダだけで結合力が不足な場合は、さらに少量の粘土を加える。これらの原料に水を加えて混合し、振動を加えながら型枠内に充填し、予熱（乾燥）した後、ざくろ石の溶融温度である900〜1050℃で約２時間焼成する。この板材は機械加工が容易であるから、室温に放冷して後、必要であれば表面、周囲などを切削、あるいは切断加工して所定寸法とする。
【００１２】
なお、粉砕したざくろ石を焼成して発泡させたものは「パーライト」の名称で農業用に市販されているから、これを使用すれば１回目の焼成、発泡工程を省略することができる。
本発明の植生用パネルは、発泡したざくろ石の粒体が融着した構造であるから、内部に細かい空隙があり、通気性にすぐれるほか適度の保水性を有している。縦横300ｍｍ、厚さ20ｍｍの板材の重量は約740グラムで極めて軽量であるから、既存の屋根に載せてもあまり負担増とならない。また水を十分含ませると1460グラムとなり、この場合の重量保水率はおよそ100％である。一方、同じ板材を60リッターの水が透過するのに９分を要する。このように適度の保水性と水切れ性を有し、植生用材料として大変適している。また全体にくまなく分布する細かい空隙内に植え付けられた植物の根が成長して入り込み、定着する。
【００１３】
植生用パネルとしては、この板材をそのまま使用してもよいが、特に屋根や壁などで傾斜させたり垂直にして使用する場合、表面に付着させた土や植物が降雨時に流されるおそれがあるので、ちょっとした加工を加えることがより望ましい。図１はその一例を示す斜視図で、１Ａは板材、１１はその表面に設けたくぼみである。板材１Ａの寸法が300×300ｍｍ、厚さ20ｍｍとしてくぼみ１１は直径20ｍｍ、深さ10ｍｍ、32ｍｍピッチで縦横９列設けてある。この加工は多軸ボール盤などで容易に行うことができる。
【００１４】
図２はくぼみに代えて板材１Ｂの表面に縦横の溝１２を設けた例である。また図３はこれらに代えて、板材１Ｃの表面の周囲に囲い１３を設けている。さらに、特に図示しないが、板材の表面に網状、あるいはシート状のものを張り付けてもよい。網状のものとは、例えば農業用に市販されている遮光ネットや防草シート、防虫ネットなどがある。シート状のものとしては古紙などが挙げられる。
【００１５】
これらのくぼみや溝、囲い、網状のものなどはいずれも内部に土を入れ、スナゴケやイワタレソウ等の地被植物を植え付ける拠点となるもので、土や植物を保持し、また降雨時に水を一時蓄える役割をする。
図４は板材１Ｄ全体を円筒の一部となるような所定の曲率で彎曲させた例である。屋根瓦が彎曲している場合や、樋などの障害物がある場合に使用するとよい。
【００１６】
つづいて実施例の植生用パネルの取り付け構造について説明する。図５は折版屋根の上に取り付ける場合の例を示す斜視図で、２は鋼板を折り曲げた折版屋根、３はこれを取り付けるタイトフレーム、４は軒桁である。折版屋根２を取り付けるボルトを長くし、孔を開けた板材１をボルトで固定する。この上に人が乗らない場合はこれでよいが、乗るおそれのある場合は板材の裏側に合板（木板）や薄鋼板などの裏板を重ねるとよい。
【００１７】
図６はコンクリートの屋上などに設置する場合である。押え金具６Ａを使用して打込みボルトなどで固定する。この他特に図示しないが、前記の植生用パネルを枠体内に収容して植生用パネルユニットとし、相互に連結したり屋根や壁に固定したりしてもよい。
図７も同じく屋上などに設置する場合である。平板の中央からピンの突き出た形状の押え金具６Ｂを使用し、接着剤６１でこれを屋根に固定した後、ピン６２を板材１に通し、座金６３を嵌めてからピン６２を折り曲げる。
【００１８】
図８は本発明の植生用パネルを高速道路等の防音壁に使用した実施例の要部を示す水平断面図である。２枚の植生用パネル１、１を中間にスペースを設けて押さえ金具６Ｃにより箱状に組み立て、支柱となるＨ型鋼の間に嵌装して防音壁とする。
本発明の板材の残響室法による吸音率の測定結果を図９に示す。試験体の板材は厚さ20ｍｍで、◎は板材のみ、○は板材の後方に46.8ｍｍの空気層を設けたものである。一方比較例として、厚さ25ｍｍのグラスウール材の試験結果を◆で示す。単体と空気層を設けたものでは若干吸音特性に違いがあるが、単体の場合は航空機の騒音とされる1600〜2000Ｈｚ付近で、空気層を設けたものでは高速道路の騒音とされる500Ｈｚ付近で、いずれも比較例よりも高い吸音率を示すので、設置目的によって両者を使い分けることが望ましい。
【図面の簡単な説明】
【００１９】
【図１】本発明実施例の植生用パネルを示す斜視図である。
【図２】同じく本発明実施例の植生用パネルを示す斜視図である。
【図３】同じく本発明実施例の植生用パネルを示す斜視図である。
【図４】同じく本発明実施例の植生用パネルを示す斜視図である。
【図５】本発明実施例の植生用パネルの折版屋根への取り付け状態を示す斜視図である。
【図６】同じく本発明実施例の植生用パネルの取り付け状態を示す斜視図である。
【図７】本発明実施例の植生用パネルの取り付け構造を示す断面図である。
【図８】本発明実施例の植生用パネルの防音壁への応用例を示す断面図である。
【図９】本発明の植生用パネルの吸音効果を示すグラフである。
【符号の説明】
【００２０】
１、１Ａ〜１Ｄ    板材
２    折版屋根
３    タイトフレーム
４    軒桁
５    押さえボルト
６Ａ〜６Ｃ    押さえ金具
７    金網
８    Ｈ型鋼
１１    くぼみ
１２    溝
１３    囲い
６１    接着剤
６２    ピン
６３    座金
【図１】
2008161108.tif 000003
【図２】
2008161108.tif 000004
【図３】
2008161108.tif 000005
【図４】
2008161108.tif 000006
【図５】
2008161108.tif 000007
【図６】
2008161108.tif 000008
【図７】
2008161108.tif 000009
【図８】
2008161108.tif 000010
【図９】
2008161108.tif 000011